(57)【要約】      （修正有）【課題】番組の受信中に放送エリア間を移動した場合でも、その番組を継続的に受信可能な移動体受信端末を提供する。【解決手段】移動体受信端末は、地上デジタル放送を各々受信する第１の受信経路１０及び第２の受信経路２０と第１の受信経路１０で第１チャンネルの地上デジタル放送を受信している間に、第２の受信経路２０で並行してチャンネルサーチを行い、第１の受信経路１０で受信している第１チャンネルとは別の第２チャンネルで同一内容の番組が放送されていることを発見した場合には、現在選択している第１チャンネルから新たに発見した第２チャンネルに切り替えるべきか否かを判断する制御部３０とを有する。【選択図】図１
2010258554.tif 000002
【特許請求の範囲】
【請求項１】
地上デジタル放送を各々受信する第１の受信経路及び第２の受信経路と；
第１の受信経路で第１チャンネルの地上デジタル放送を受信している間に、第２の受信経路で並行してチャンネルサーチを行い、第１チャンネルとは別の第２チャンネルで同一内容の番組が放送されていることを発見した場合には、現在選択している第１チャンネルから新たに発見した第２チャンネルに切り替えるべきか否かを判断する制御部と；
を有して成ることを特徴とする移動体受信端末。
【請求項２】
第１の受信経路及び第２の受信経路は、それぞれ、
地上デジタル放送を受信するためのアンテナと；
前記アンテナで得られる受信信号を復調してトランスポートストリーム信号を生成するチューナ部と；
前記トランスポートストリーム信号を解析することで、放送局名と番組名の少なくともいずれか一を抽出し、これをチャンネル情報として前記制御部に通知する一方、前記トランスポートストリーム信号を映像信号、音声信号、及び、データ信号に分離するトランスポートストリーム分離部と；
を含んで成ることを特徴とする請求項１に記載の移動体受信端末。
【請求項３】
前記制御部は、前記チューナ部でのチャンネル切替を制御するチャンネル切替制御機能と、前記チャンネル情報を管理するチャンネル情報管理機能と、を備えていることを特徴とする請求項２に記載の移動体受信端末。
【請求項４】
前記映像信号に復号処理を施す映像復号回路と、
前記データ信号に復号処理を施すデータ復号回路と、
前記音声信号に復号処理を施す音声復号回路と、
前記映像復号回路と前記データ復号回路の各出力信号を映像として出力する表示部と、
前記音声復号回路の出力信号を音声として出力する音声出力部と、
をさらに有して成ることを特徴とする請求項３に記載の移動体受信端末。
【請求項５】
前記制御部は、第１の受信経路で現在選択している第１チャンネルの受信状態を示す指標として、受信感度、Ｃ／Ｎ、及び、パケットエラーレートの少なくともいずれか一を測定し、その測定値が所定の閾値よりも悪化した場合に、第２の受信経路でのチャンネルサーチを開始することを特徴とする請求項４に記載の移動体受信端末。
【請求項６】
前記制御部は、第１の受信経路で現在選択している第１チャンネルの受信状態、及び、第２の受信経路で新たに発見された第２チャンネルの受信状態を各々示す指標として、各受信経路毎に、受信感度、Ｃ／Ｎ、及び、パケットエラーレートの少なくともいずれか一を測定し、両者の比較結果に基づいて第１チャンネルから第２チャンネルに切り替えるべきか否かを判断することを特徴とする請求項４または請求項５に記載の移動体受信端末。
【請求項７】
前記チャンネルサーチの確認結果、第１チャンネルの受信状態、及び、第２チャンネルの受信状態に関する情報を各々記録するチャンネル記録部をさらに有して成り、
前記制御部は、第１チャンネルから第２チャンネルに切り替えるべきか否かを判断する際、前記チャンネル記録部から読み出した前記チャンネルサーチの確認結果に基づいて、第１の受信経路と第２の受信経路のチャンネル設定を行い、各々の受信状態の測定・記録を所定回数だけ繰り返した後、各受信経路毎の測定値を合算または平均して比較することを特徴とする請求項６に記載の移動体受信端末。
【請求項８】
前記制御部は、前記チャンネル情報に含まれる放送局名と番組名の少なくともいずれか一に基づいて、第１チャンネルで放送されている番組と第２チャンネルで放送されている番組が同一内容であるか否かを判断することを特徴とする請求項４〜請求項７のいずれかに記載の移動体受信端末。
【請求項９】
前記制御部は、現在選択している第１チャンネルから新たに発見した第２チャンネルに切り替える場合、その旨を前記表示部で表示させることを特徴とする請求項４〜請求項８のいずれか記載の移動体受信端末。
【発明の詳細な説明】
【技術分野】
【０００１】
本発明は、地上デジタル放送を受信する移動体受信端末に関するものである。
【背景技術】
【０００２】
近年、地上デジタルテレビ放送の受信機能を備え、移動しながらテレビ番組を視聴することが可能な移動体受信端末が広く一般に普及している。特に、小型のディスプレイを備えた携帯電話などの移動体受信端末向けには、いわゆる１セグメント放送（以下、ワンセグ放送と称する）と呼ばれる低解像度の地上デジタル放送が実現されている。
【０００３】
ところで、このような移動体受信端末を一の放送エリアから別の放送エリアに移動した場合には、移動先の放送エリアにおける選局情報を取得するために、新たにチャンネルサーチを行わなければならない。しかしながら、このチャンネルサーチには数分間を要するため、テレビ番組の視聴中に放送エリア間を移動した場合には、チャンネルサーチが完了するまでの数分間にわたって視聴中の映像がフリーズしてしまう、という問題があった。
【０００４】
上記の問題について、図６を参照しながら具体的に説明する。図６は、放送エリアの概念図であり、移動体受信端末２０１が第１放送局２０２の放送エリア２０３から第２放送局２０４の放送エリア２０５へ移動するときの様子が模式的に示されている。なお、図６において、第１放送局２０２の放送エリア２０３では、所望のテレビ番組が第１チャンネル（ＣＨ２４）で放送されているものとし、第２放送局２０４の放送エリア２０５では、上記と同内容のテレビ番組が第２チャンネル（ＣＨ２５）で放送されているものとする。
【０００５】
このとき、移動体受信端末２０１が放送エリア２０３の中心近傍に存在する場合には、第１チャンネル（ＣＨ２４）で放送を受信することにより、映像や音声の乱れのない良好な受信状態で、所望のテレビ番組を視聴することが可能である。しかしながら、移動体受信端末２０１が一の放送エリア２０３から別の放送エリア２０５に移動し始めて以後は、移動体受信端末２０１が放送エリア２０５に近付くに従い、第１チャンネル（ＣＨ２４）での受信状態が徐々に悪化していくので、映像や音声に乱れが生じ始め、移動体受信端末２０１が放送エリア２０５の中心近傍に達したときには、もはや第１チャンネル（ＣＨ２４）での受信が不可能な状態となり、所望のテレビ番組を視聴することができなくなる。このような状態に陥った場合には、再度チャンネルサーチを行わない限り、第２放送局２０４（第２チャンネル（ＣＨ２５））を見つけることができない。
【０００６】
なお、上記問題を解決する従来技術の一例として、特許文献１では、位置情報を取得する手段（例えばＧＰＳ［Global Posisioning System］）と、移動先エリアでのチャンネルリスト情報を予め取得する手段（例えば公衆回線網）を利用し、放送エリアから外れたことを位置検出手段で検出したときには、予め取得された移動先エリアでのチャンネルリスト情報に基づいて、自動的にチャンネル切替を行うことにより、所定のテレビ番組を継続的に受信する技術が開示・提案されている。
【０００７】
また、上記問題を解決する従来技術の他の一例として、特許文献２には、それぞれが放送信号を独立に受信再生可能な第１の受信手段及び第２の受信手段と、第１の受信手段が放送信号を受信再生している間、自機の現在位置が複数の放送エリアが重なる重複エリア内にあるときのみ、第２の受信手段でチャンネルスキャンを行うスキャン実行手段と、を有する移動端末が開示・提案されている。
【先行技術文献】
【特許文献】
【０００８】
【特許文献１】特開２００４−２８２３５０号公報
【特許文献２】特開２００８−２７８０５８号公報
【発明の概要】
【発明が解決しようとする課題】
【０００９】
確かに、特許文献１や特許文献２の従来技術であれば、テレビ番組の視聴中に放送エリア間を移動した場合でも、そのテレビ番組の継続的な受信を試みることが可能である。
【００１０】
しかしながら、一般的にワンセグ放送の受信環境は放送局の位置や周囲の環境（ビルの陰など）によって不規則的に変化するため、放送エリアの境界線を一意に決定することはできない。そのため、特許文献１や特許文献２の従来技術のように、自機の現在位置と放送エリア（または複数の放送エリアが重なる重複エリア）との一致／不一致を検出して、チャンネル切替の要否を判断する構成では、チャンネル切替前の受信状態よりもチャンネル切替後の受信状態の方が劣悪である場合もあり、チャンネル切替後に所定のテレビ番組を正常に受信できるかどうかは未知数であった。
【００１１】
また、特許文献１や特許文献２の従来技術では、自機の現在位置を取得するための手段や、移動先エリアのチャンネル情報を予め収集しておくための手段が必須の構成要素となるため、移動体受信端末の大型化やコストアップを招く、という問題があった。
【００１２】
本発明は、上記の問題点に鑑み、番組の受信中に放送エリア間を移動した場合でも、その番組を継続的に受信することが可能な移動体受信端末を提供することを目的とする。
【課題を解決するための手段】
【００１３】
上記目的を達成するために、本発明に係る移動体受信端末は、地上デジタル放送を各々受信する第１の受信経路及び第２の受信経路と；第１の受信経路で第１チャンネルの地上デジタル放送を受信している間に、第２の受信経路で並行してチャンネルサーチを行い、第１チャンネルとは別の第２チャンネルで同一内容の番組が放送されていることを発見した場合には、現在選択している第１チャンネルから新たに発見した第２チャンネルに切り替えるべきか否かを判断する制御部と；を有して成る構成（第１の構成）とされている。
【００１４】
なお、上記第１の構成から成る移動体受信端末において、第１の受信経路及び第２の受信経路は、それぞれ、地上デジタル放送を受信するためのアンテナと；前記アンテナで得られる受信信号を復調してトランスポートストリーム信号を生成するチューナ部と；前記トランスポートストリーム信号を解析することで、放送局名と番組名の少なくともいずれか一を抽出し、これをチャンネル情報として前記制御部に通知する一方、前記トランスポートストリーム信号を映像信号、音声信号、及び、データ信号に分離するトランスポートストリーム分離部と；を含んで成る構成（第２の構成）にするとよい。
【００１５】
また、上記第２の構成から成る移動体受信端末において、前記制御部は、前記チューナ部でのチャンネル切替を制御するチャンネル切替制御機能と、前記チャンネル情報を管理するチャンネル情報管理機能と、を備えている構成（第３の構成）にするとよい。
【００１６】
また、上記第３の構成から成る移動体受信端末は、前記映像信号に復号処理を施す映像復号回路と、前記データ信号に復号処理を施すデータ復号回路と、前記音声信号に復号処理を施す音声復号回路と、前記映像復号回路と前記データ復号回路の各出力信号を映像として出力する表示部と、前記音声復号回路の出力信号を音声として出力する音声出力部とをさらに有して成る構成（第４の構成）にするとよい。
【００１７】
また、上記第４の構成から成る移動体受信端末において、前記制御部は、第１の受信経路で現在選択している第１チャンネルの受信状態を示す指標として、受信感度、Ｃ／Ｎ、及び、パケットエラーレートの少なくともいずれか一を測定し、その測定値が所定の閾値よりも悪化した場合に、第２の受信経路でのチャンネルサーチを開始する構成（第５の構成）にするとよい。
【００１８】
また、上記第４または第５の構成から成る移動体受信端末において、前記制御部は、第１の受信経路で現在選択している第１チャンネルの受信状態、及び、第２の受信経路で新たに発見された第２チャンネルの受信状態を各々示す指標として、各受信経路毎に、受信感度、Ｃ／Ｎ、及び、パケットエラーレートの少なくともいずれか一を測定し、両者の比較結果に基づいて第１チャンネルから第２チャンネルに切り替えるべきか否かを判断する構成（第６の構成）にするとよい。
【００１９】
また、上記第６の構成から成る移動体受信端末は、前記チャンネルサーチの確認結果、第１チャンネルの受信状態、及び、第２チャンネルの受信状態に関する情報を各々記録するチャンネル記録部をさらに有して成り、前記制御部は、第１チャンネルから第２チャンネルに切り替えるべきか否かを判断する際、前記チャンネル記録部から読み出した前記チャンネルサーチの確認結果に基づいて、第１の受信経路と第２の受信経路のチャンネル設定を行い、各々の受信状態の測定・記録を所定回数だけ繰り返した後、各受信経路毎の測定値を合算または平均して比較する構成（第７の構成）にするとよい。
【００２０】
また、上記第４〜第７いずれかの構成から成る移動体受信端末において、前記制御部は前記チャンネル情報に含まれる放送局名と番組名の少なくともいずれか一に基づいて、第１チャンネルで放送されている番組と第２チャンネルで放送されている番組が同一内容であるか否かを判断する構成（第８の構成）にするとよい。
【００２１】
また、上記第４〜第８いずれかの構成から成る移動体受信端末において、前記制御部は現在選択している第１チャンネルから新たに発見した第２チャンネルに切り替える場合、その旨を前記表示部で表示させる構成（第９の構成）にするとよい。
【発明の効果】
【００２２】
本発明に係る移動体受信端末によれば、番組の受信中に放送エリア間を移動した場合でも、その番組を継続的に受信することが可能となる。
【図面の簡単な説明】
【００２３】
【図１】本発明に係る移動体受信端末の一実施形態（特にワンセグ放送受信部周辺）を示すブロック図
【図２】ＴＳ信号の分離動作を説明するためのテーブル図
【図３】チャンネル自動切替動作を説明するためのフローチャート図
【図４】チャンネルサーチ動作を説明するためのフローチャート図
【図５】受信感度比較動作及びチャンネル切替判断動作を説明するためのフローチャート図
【図６】放送エリアのイメージ図
【発明を実施するための形態】
【００２４】
以下では、本発明を実施するための形態について、図１〜図５を参照しながら詳細に説明する。
【００２５】
図１は、本発明に係る移動体受信端末の一実施形態（特にワンセグ放送受信部周辺）を示すブロック図である。図１に示すように、本実施形態の移動体受信端末は、第１の受信経路１０と、第２の受信経路２０と、制御部３０と、チャンネル記録部４０と、映像復号回路５０と、データ復号回路６０と、音声復号回路７０と、表示部８０と、音声出力部９０と、を有して成る。
【００２６】
第１の受信経路１０は、ワンセグ放送を受信する回路群であり、アンテナ１１と、チューナ部１２と、トランスポートストリーム分離部１３（以下、ＴＳ［Transport Stream］分離部１３と呼ぶ）と、を有して成る。
【００２７】
第２の受信経路２０は、第１の受信経路１０とは別個独立にワンセグ放送を受信する回路群であり、アンテナ２１と、チューナ部２２と、トランスポートストリーム分離部２３（以下、ＴＳ分離部２３と呼ぶ）と、を有して成る。
【００２８】
アンテナ１１及び２１は、それぞれ、ワンセグ放送を受信して電気的な受信信号を生成する。
【００２９】
チューナ部１２及び２２は、それぞれ、アンテナ１１及び２２で得られる受信信号をＯＦＤＭ［Orthogonal Frequency Division Multiplexing］復調して、トランスポートストリーム信号（以下ではＴＳ信号と呼ぶ）を生成する。
【００３０】
ＴＳ分離部１３及び２３は、それぞれ、チューナ部１２及び２２で得られるＴＳ信号を解析することにより、ＮＩＴ［Network Information Table］情報である放送局名及びリモコン番号と、ＥＩＴ［Event Information Table］情報である番組名を抽出し、これをチャンネル情報として制御部３０に通知する。また、ＴＳ分離部１３及び２３は、それぞれ、上記チャンネル情報の抽出後、ＰＭＴ［Program Map Table］情報から受信すべき映像信号、データ信号、音声信号のＰＩＤ［Packet ID］を確定し、フィルタリング作業を行うことにより、ＴＳ信号を映像信号、音声信号、及び、データ信号に分離する。
【００３１】
制御部３０は、ユーザのチャンネル指定時や放送エリア間の移動時においてチューナ部１２及び２２でのチャンネル切替を制御するチャンネル切替制御機能と、ＴＳ分離部１３及び２３から通知されるチャンネル情報を管理するチャンネル情報管理機能と、を備えており、第１の受信経路１０で所定のチャンネル（本明細書中では、これを「第１チャンネル」と呼ぶが、これは物理チャンネル番号やリモコン番号の「１」を表すものではない）の地上デジタル放送を受信している間に、第２の受信経路２０で並行してチャンネルサーチを行い、第１チャンネルとは別のチャンネル（本明細書中では、これを「第２チャンネル」と呼ぶが、これは物理チャンネル番号やリモコン番号の「２」を表すものではない）で同一内容の番組が放送されていることを発見した場合には、現在選択している第１チャンネルから新たに発見した第２チャンネルに切り替えるべきか否かを判断する。なお、制御部３０の上記動作については、後ほど詳細に説明する。
【００３２】
チャンネル記録部４０は、チャンネルサーチの確認結果、第１チャンネルの受信状態、及び、第２チャンネルの受信状態に関する情報を各々記録する手段である。
【００３３】
映像復号回路５０は、ＴＳ分離部１３及び２３で生成された映像信号に復号処理を施す手段である。
【００３４】
データ復号回路６０は、ＴＳ分離部１３及び２３で生成されたデータ信号に復号処理を施す手段である。
【００３５】
音声復号回路７０は、ＴＳ分離部１３及び２３で生成された音声信号に復号処理を施す手段である。
【００３６】
表示部８０は、映像復号回路５０とデータ復号回路６０の各出力信号を映像として出力する手段であり、液晶ディスプレイや有機ＥＬディスプレイなどを用いることができる。なお、映像復号回路５０とデータ復号回路６０の各出力信号を一の映像として出力する場合、映像とデータ（字幕など）を重ね合わせて表示してもよいし、映像のみ或いはデータのみを個別に表示してもよい。
【００３７】
音声出力部９０は、音声復号回路７０の出力信号を音声として出力する手段であり、スピーカやヘッドフォン出力端子などを用いることができる。
【００３８】
次に、ＴＳ分離部１３におけるＴＳ信号の分離動作について、図２を参照しながら詳細に説明する。図２は、ＴＳ信号の分離動作を説明するためのテーブル図であり、上から順番に、物理チャンネル、ＴＳ信号、ネットワーク、サービス（番組）、及び、番組構成の概要が描写されている。
【００３９】
ワンセグ放送をはじめとする地上デジタル放送には、１３ＣＨ（４７０ＭＨｚ）〜６２ＣＨ（７７０ＭＨｚ）の物理チャンネル（周波数帯域）が割り当てられており、チューナ部１２及び２２は、各々の受信周波数を所定値にロックさせることで、特定の物理チャンネルで放送されている番組を受信することができる。
【００４０】
先にも述べたように、チューナ部１２及び２２は、それぞれ、アンテナ１１及び２２で得られる受信信号をＯＦＤＭ復調してＴＳ信号を生成する。このＴＳ信号は１８８Ｂｙｔｅで構成されており、そのヘッダ部分にはＰＩＤが含まれている。従って、ＴＳ分離部１３及び２３は、ＴＳ信号のＰＩＤを読み取ることにより、そのパケット種別を判別することが可能である。なお、ＮＩＴ情報とＥＩＴ情報のＰＩＤは各々固定となっているため、ＴＳ分離部１３及び２３において、最初に取得されるのは、ＮＩＴ情報とＥＩＴ情報である。その後、ＴＳ分離部１３及び２３は、ＮＩＴ情報からＰＭＴ情報のＰＩＤを算出し、ＰＭＴ情報を解析することにより、映像信号、データ信号、音声信号の各ＰＩＤを判別する。そして、ＴＳ分離部１３及び２３は、映像信号、データ信号、音声信号の各ＰＩＤでフィルタリングを行い、それぞれのパケットをつなぎ合わせていき、ＴＳ信号から映像信号、データ信号、音声信号の分離を行う。
【００４１】
次に、ワンセグ放送における同一番組の判別動作について説明する。制御部３０には、放送局と系列ネットワークとをリンクしたグループ情報が予め記憶されている。従って、制御部３０は、グループ情報を参照することで、例えばＦＮＳ［Fuji Network System］系列のフジテレビ、東海テレビ、関西テレビなど、計２８局の放送局を同系列の放送局であると認識することができる。
【００４２】
そこで、制御部３０は、第１チャンネルで放送されている番組と第２チャンネルで放送されている番組が同一内容であるか否かを判別する際、まず、ＮＩＴ情報に含まれる放送局名に基づいて、各々の番組を放送している放送局が同系列であるか否かを確認する。
【００４３】
そして、制御部３０は、各々の番組を放送している放送局が同系列であると認識したときには、さらに、ＥＩＴ情報に含まれる番組名に基づいて、各番組が同内容であるか否かを確認する。ただし、各番組の内容が同じであっても、放送局によって番組名の付け方が異なる場合（半角と全角が異なる場合など）もある。そのため、番組名が同一であるか否かの判定基準は、完全一致ではなく、部分一致に止めることが望ましい。
【００４４】
このように、放送局名と番組名に基づいて、第１チャンネルで放送されている番組と第２チャンネルで放送されている番組が同一内容であるか否かを判断する構成であれば、同一番組の判別動作を非常に高い精度で実施することが可能となる。
【００４５】
ただし、本発明の構成はこれに限定されるものではなく、放送局名と番組名のいずれか一に基づいて、同一番組の判別動作を行う構成としても構わない。
【００４６】
次に、制御部３０におけるチャンネル自動切替動作について、図３を参照しながら詳細に説明する。図３は、制御部３０におけるチャンネル自動切替動作を説明するためのフローチャート図である。なお、特に明示しない限り、図３に示した各ステップの主体は、制御部３０である。また、制御部３０は、図３に示した一連のステップ動作に専従しているわけではなく、ユーザによるチャンネル指定操作の監視など、移動体受信端末全体の動作を統括的に制御している。
【００４７】
ユーザの指示に基づいて、第１の受信経路１０で第１チャンネルのワンセグ放送が受信開始されると、まず、ステップＳ１０１では、第１の受信経路１０で第１チャンネルのワンセグ放送が現在も受信中であるか否かの判定が行われる。ここで、ワンセグ放送を受信中であると判定された場合には、フローがステップＳ１０２に進められ、ワンセグ放送を受信中でない（既にワンセグ放送の受信動作が終了されている）と判定された場合には、一連のフローが終了される。
【００４８】
ステップＳ１０１において、ワンセグ放送を受信中であると判定された場合、ステップＳ１０２では、第１の受信経路１０で現在選択している第１チャンネルの受信状態を示す指標として、受信感度及びＣ／Ｎ［Carrier/Noise］が測定された後、フローがステップＳ１０３に進められる。
【００４９】
ステップＳ１０３では、上記の受信感度及びＣ／Ｎが規定値以下であるかの判定、言い換えれば、第１の受信経路１０で現在選択している第１チャンネルの受信状態が悪化しているか否かの判定が行われる。ここで、上記の受信感度及びＣ／Ｎが規定値以下でないと判定された場合には、フローがステップＳ１０７にジャンプされる。すなわち、上記の受信感度及びＣ／Ｎが規定値を上回っている場合には、第１の受信経路１０で現在選択している第１チャンネルの受信状態が良好であり、映像や音声に乱れはなく、チャンネルの切替制御は不要であると判断できるので、フローはステップＳ１０７におけるタイマでのウェイト処理を経て、再びステップＳ１０１に戻される。
【００５０】
なお、ここで言う受信感度及びＣ／Ｎが規定値以上で受信感度が良好な状態とは、受信感度（受信入力電力）を表すＩＦＡＧＣ［Intermediate Frequency Automatic Gain Control］信号の値が１３０以下、及び、Ｃ／Ｎが１７ｄＢ以上であれば受信感度が良好な状態と言える。
【００５１】
一方、ステップＳ１０３で上記の受信感度が規定値以下であると判定された場合には、フローがステップＳ１０４に進められ、第２の受信経路２０でのチャンネルサーチ動作が開始される。すなわち、上記の受信感度が規定値以下である場合には、第１の受信経路１０で現在選択している第１チャンネルの受信状態が悪く、映像や音声に乱れを生じるおそれがあるため、チャンネルの自動切替制御に先立ち、現在の自機位置をカバーする放送エリアでの選局情報を取得するために、第１の受信経路１０によるワンセグ放送の受信と並行して、第２の受信経路２０でのチャンネルサーチ動作が開始される。
【００５２】
このチャンネルサーチ動作では、地上デジタル放送に割り当てられている１３ＣＨ（４７０ＭＨｚ）〜６２ＣＨ（７７０ＭＨｚ）の物理チャンネル（周波数帯域）全てがサーチ対象とされる。そして、受信可能なチャンネルが見つかる毎に、そのチャンネルで現在受信中の第１チャンネルと同一内容の番組が放送されているか否かの確認が行われ、その確認結果がチャンネル記憶部１０８に格納される。これら一連のチャンネルサーチ動作については、後ほど詳細に説明する。
【００５３】
なお、ステップＳ１０４におけるチャンネルサーチ動作が開始されるまでは、第２の受信経路２０に対する電源供給を遮断し、これを非動作状態としておくことが望ましい。このような構成とすることにより、電力の浪費を抑えて、移動体受信端末のバッテリ駆動時間を延ばすことが可能となる。
【００５４】
ステップＳ１０４におけるチャンネルサーチ動作の終了後、ステップＳ１０５では、第１チャンネルと比較すべき第２チャンネル（すなわち、第１チャンネルで放送されている番組と同内容の番組を放送している別チャンネル）があるか否かの判定が行われる。ここで、比較すべき第２チャンネルがないと判定された場合には、フローがステップＳ１０７にジャンプされる。すなわち、第１チャンネルの受信状態が悪化したにも関わらず、比較すべき第２チャンネルが見つからないという状況から鑑み、現在選択している第１チャンネルの受信状態が悪化したのは、自機が放送エリア間を移動しているからではなく、何らかの一時的な要因（例えば、自機がビルの陰に入ったこと）によるものであって、チャンネルの切替制御は不要であると判断できるので、フローはステップＳ１０７におけるタイマでのウェイト処理を経て、再びステップＳ１０１に戻される。
【００５５】
一方、ステップＳ１０５において、比較すべき第２チャンネルがあると判定された場合には、フローがステップＳ１０６に進められ、第１の受信経路１０で現在選択している第１チャンネルの受信状態、及び、第２の受信経路２０で新たに発見された第２チャンネルの受信状態を各々示す指標として、各受信経路毎の受信感度が測定され、両者の比較結果に基づいて第１チャンネルから第２チャンネルに切り替えるべきか否かが判定される。なお、これら一連の受信感度比較動作及びチャンネル切替判断動作については、後ほど詳細に説明する。
【００５６】
ステップＳ１０６における受信感度比較動作及びチャンネル切替判断動作の終了後、フローはステップＳ１０７におけるタイマでのウェイト処理を経て、再びステップＳ１０１に戻される。
【００５７】
次に、ステップＳ１０４のチャンネルサーチ動作について、図４を参照しながら詳細に説明する。図４は、チャンネルサーチ動作を説明するためのフローチャート図である。
【００５８】
ステップＳ２０１において、制御部３０からの指示に基づいて第２の受信経路２０でチャンネルサーチ動作が開始されると、続くステップＳ２０２では、地上デジタル放送に割り当てられている１３ＣＨ（４７０ＭＨｚ）〜６２ＣＨ（７７０ＭＨｚ）の物理チャンネル（周波数帯域）全てについて、チャンネルサーチ動作が終了したか否かの判定が行われる。ここで、チャンネルサーチ動作が終了したと判定された場合には、図４に示す一連の処理が終了され、フローが図３のステップＳ１０５に進められる。
【００５９】
一方、ステップＳ２０２において、チャンネルサーチ動作が終了していないと判定された場合には、フローがステップＳ２０３に進められて、チューナ部２２のチャンネル変更（チャンネルのインクリメント）が行われる。
【００６０】
ステップＳ２０３でチューナ部２２のチャンネル変更が行われた後、続くステップＳ２０４では、ＴＳ分離部２３で得られたＴＳ信号の解析に基づいて、そのＴＳ信号にＮＩＴ情報やＥＩＴ情報（放送局名、リモコン番号、及び、番組名）が含まれているか否か、すなわち、第２の受信経路２０でワンセグ放送が受信されているか否かの判定が行われる。ここで、ワンセグ放送が受信されていないと判定された場合には、フローがステップＳ２０６にジャンプされ、現在設定中のチャンネルではワンセグ放送を受信することができなかった旨の情報がチャンネル記録部４０に格納された後、フローが再びステップＳ２０２に戻される。
【００６１】
一方、ステップＳ２０４において、ワンセグ放送が受信されていると判定された場合には、フローがステップＳ２０５に進められ、第１の受信経路１０で受信されている番組と第２の受信経路２０で受信されている番組が同一内容であるか否かの判定が行われる。そして、続くステップＳ２０６では、ステップＳ２０５の判定結果に関する情報がチャンネル記録部４０に格納された後、フローが再びステップＳ２０２に戻される。なお、ステップＳ２０５における同一番組の判別動作については、先述した通りであるため、重複した説明を割愛する。
【００６２】
以降、ステップＳ２０２にて、地上デジタル放送に割り当てられている１３ＣＨ（４７０ＭＨｚ）〜６２ＣＨ（７７０ＭＨｚ）の物理チャンネル（周波数帯域）全てについて、チャンネルサーチ動作が終了したと判定されるまで、上記の処理がループされる。
【００６３】
次に、ステップＳ１０６の受信感度比較動作及びチャンネル切替判断動作について、図５を参照しながら詳細に説明する。図５は、受信感度比較動作及びチャンネル切替判断動作を説明するためのフローチャート図である。
【００６４】
まず、ステップＳ３０１では、図３のステップＳ１０４で得られたチャンネルサーチ動作の結果がチャンネル記録部４０から読み出され、これに基づいてチューナ部２２が受信すべきチャンネル（すなわち、第１の受信経路１０で現在受信中の第１チャンネルと同内容の番組を放送している第２チャンネル）に設定される。
【００６５】
続くステップ３０２では、第１の受信経路１０で現在選択している第１チャンネルの受信状態と、第２の受信経路２０で新たに発見された第２チャンネルの受信状態に関して、各々の比較処理を行うために必要な情報の収集（ここでは、各受信経路毎の受信感度の測定及び記録）が規定回数（少なくとも２回以上）だけ繰り返されたか否かの判定が行われる。ここで、情報の収集回数が規定回数に達したと判定された場合には、フローがステップＳ３０５にジャンプされるが、情報の収集回数が規定回数に達していないと判定された場合には、フローがステップＳ３０３に進められる。
【００６６】
ステップＳ３０２において、情報の収集回数が規定回数に達していないと判定された場合、ステップＳ３０３では、各受信経路毎に受信感度の測定が行われ、その結果がチャン得る記録部４０に格納される。その後、フローはステップＳ３０４におけるタイマでのウェイト処理を経て、再びステップＳ３０２に戻される。
【００６７】
上記したステップＳ３０２〜ステップＳ３０４のループが規定回数（少なくとも２回以上）だけ繰り返され、ステップ３０２において、情報の収集回数が規定回数に達したと判定された場合、ステップＳ３０５では、各受信経路毎に測定された受信感度が合算または平均して比較される。このように、各受信経路毎の受信状態を繰り返し測定し、その合算または平均を比較する構成であれば、受信状態の一時的な変動やノイズ等が生じた場合であっても、これに対する過敏な反応を抑えて、より正確な比較を行うことが可能となる。
【００６８】
そして、続くステップＳ３０６では、ステップＳ３０５で得られた両者の比較結果に基づいて、第１チャンネルから第２チャンネルに切り替えるべきか否かの判定が行われる。ここで、第２の受信経路２０で新たに発見された第２チャンネルの受信状態よりも、第１の受信経路１０で現在選択している第１チャンネルの受信状態の方が良好であり、チャンネルを切り替えるべきでないと判定された場合には、図５に示す一連の処理が終了され、フローが図３のステップＳ１０７に進められる。なお、このとき、第２の受信経路２０に対する電源供給を遮断し、これを非動作状態とすることが望ましい。このような構成とすることにより、電力の浪費を抑えて、移動体受信端末のバッテリ駆動時間を延ばすことが可能となる。
【００６９】
一方、第１の受信経路１０で現在選択している第１チャンネルの受信状態よりも、第２の受信経路２０で新たに発見された第２チャンネルの受信状態の方が良好であり、チャンネルを切り替えるべきであると判定された場合には、フローがステップＳ３０７に進められ、表示部８０を通して新しく設定した放送局名と番組名をユーザに通知した上で、第１チャンネルから第２チャンネルへのチャンネル切替が行われる。
【００７０】
このように、現在選択している第１チャンネルから新たに発見した第２チャンネルに切り替える場合に、その旨を表示部８０で表示させる構成であれば、放送エリア間を移動したことにより、受信中のチャンネルが自動的に切り替えられたことをユーザに認識させることが可能となる。
【００７１】
なお、第１チャンネルから第２チャンネルへのチャンネル切替を行う場合には、第１の受信経路１０に対する電源供給を遮断し、これを非動作状態とすることが望ましい。このような構成とすることにより、電力の浪費を抑えて、移動体受信端末のバッテリ駆動時間を延ばすことが可能となる。
【００７２】
上記したように、本実施形態の移動体受信端末において、第１の受信経路１０でワンセグ放送の受信が開始された後、制御部３０では、定期的にチューナ部１２から受信感度の情報が取得され、これが予め設定された規定値を下回っていないかどうかのチェックが行われる。受信感度が規定値を下回っていた場合には、第２の受信経路２０でチャンネルサーチ動作が開始され、第１の受信経路１０で受信している第１チャンネルとは別の第２チャンネルで同一内容の番組が放送されているか否かの確認が行われた後、その確認結果がチャンネル記憶部４０に格納される。チャンネルサーチ動作の結果、第１チャンネルとは別の第２チャンネルで同一内容の番組が放送されていると判定された場合には、チャンネル記憶部４０からチャンネルサーチ動作の結果が読み出され、第１の受信経路１０で現在受信している第１チャンネルの受信感度と、第２の受信経路２０で新たに発見した第２チャンネルの受信感度とが比較される。そして、第１チャンネルよりも第２チャンネルの方が受信感度が良好である場合には、第２の受信経路２０での受信を継続すべく、ＴＳ分離部２３で生成される映像信号、データ信号、及び、音声信号を各々映像復号回路５０、データ復号回路６０、及び、音声復号回路７０に出力するように、第１の受信経路１０と第２の受信経路２０の動作状態を切り替える。
【００７３】
なお、第１チャンネルから第２チャンネルへのチャンネル切替後も、制御部３０におけるチャンネル自動切替動作は継続されるが、その動作については、図３〜図５で説明した内容のうち、「第１の受信経路１０」と「第２の受信経路２０」とを互いに読み替えて理解すればよい。すなわち、第１チャンネルから第２チャンネルへのチャンネル切替後は、先述の説明とは逆に、第２の受信経路２０を用いて所望の番組が視聴されているときに、第１の受信経路１０を用いてチャンネルサーチが行われることになる。
【００７４】
このように、本実施形態の移動体受信端末は、少なくとも２系統の受信経路を備えることにより、一方の受信経路では映像、データ、音声の出力をしながら、もう一方の受信経路で別チャンネルで同一放送がないかどうか確認を行い、さらに、受信チャンネルの切り替えを行うか否かについては、両受信経路の受信感度を比較して行うため、表示や音声の乱れを招くことなく、適切にチャンネルの自動切替を行うことが可能となる。
【００７５】
また、チャンネルサーチ動作を行うタイミングは、現在受信している放送の受信感度が悪くなった場合にのみ行うため、電力の浪費を抑えて、移動体受信端末のバッテリ駆動時間を延ばすことが可能となる。
【００７６】
さらに、特許文献１や特許文献２の従来技術とは異なり、自機の現在位置を取得するための手段や、移動先エリアのチャンネル情報を予め収集しておくための手段が不必要であるため、移動体受信端末の小型化やコストダウンを実現することが可能となる。
【００７７】
なお、上記の実施形態では、ワンセグ放送を受信する移動体受信端末に本発明を適用した構成を例示して説明を行ったが、本発明の適用対象はこれに限定されるものではなく、その他の地上デジタル放送（１２セグメントを用いたハイビジョン画質の地上デジタルテレビ放送や、４セグメントを用いた通常画質の地上デジタルテレビ放送、或いは、地上デジタル音声放送など）を受信する移動体受信端末にも広く適用することが可能である。
【００７８】
また、本発明の構成は、上記実施形態のほか、発明の主旨を逸脱しない範囲で種々の変更を加えることが可能である。
【００７９】
例えば、上記実施形態では、第１の受信経路で現在選択している第１チャンネルの受信状態、及び、第２の受信経路で新たに発見された第２チャンネルの受信状態を各々示す指標として、各受信経路毎の受信感度及びＣ／Ｎを測定する構成を例に挙げて説明を行ったが、本発明の構成はこれに限定されるものではなく、上記の受信状態を示す指標として、受信感度、Ｃ／Ｎ、及び、パケットエラーレートの少なくとも一を測定する構成としてもよい。
【産業上の利用可能性】
【００８０】
本発明は、地上デジタル放送を受信する移動体受信端末（例えば携帯電話）の利便性を高める上で有用な技術である。
【符号の説明】
【００８１】
１０    第１の受信経路
１１    アンテナ
１２    チューナ部
１３    ＴＳ分離部
２０    第２の受信経路
２１    アンテナ
２２    チューナ部
２３    ＴＳ分離部
３０    制御部
４０    チャンネル記録部
５０    映像復号回路
６０    データ復号回路
７０    音声復号回路
８０    表示部
９０    音声出力部
２０１    移動体受信端末
２０２    第１放送局
２０３    第１放送局の放送エリア
２０４    第２放送局
２０５    第２放送局の放送エリア
【図１】
2010258554.tif 000003
【図２】
2010258554.tif 000004
【図３】
2010258554.tif 000005
【図４】
2010258554.tif 000006
【図５】
2010258554.tif 000007
【図６】
2010258554.tif 000008